(57)【要約】【課題】竿杆表面からの突出感を防止すると共に、剥離し難い模様を施した竿杆を有する釣竿を提供することである。【解決手段】繊維強化樹脂製竿杆２０を形成する複数の繊維強化樹脂層１０Ａ，１０Ｂの中の最外層のみ、又は該最外層とこれに続く１層以上の下方の層に亘って孔１０Ｈを設けており、該孔に該最外層とは異なる外観模様の模様層部分２０を埋め込んで、竿杆のマトリックス樹脂によって一体化されており、該模様層部分が外部から視認できるよう構成する。【選択図】図２
2010081876.tif 000002
【特許請求の範囲】
【請求項１】
繊維強化樹脂製竿杆を形成する複数の繊維強化樹脂層の中の最外層のみ、又は該最外層とこれに続く１層以上の下方の層に亘って孔を設けており、該孔に該最外層とは異なる外観模様の模様層部分を埋め込んで、竿杆のマトリックス樹脂によって一体化されており、該模様層部分が外部から視認できることを特徴とする竿杆を有する釣竿。
【請求項２】
前記模様層部分が前記竿杆のマトリックス樹脂と同じ種類の樹脂を含浸した繊維強化樹脂プリプレグによって形成されており、該模様層部分の外表面は前記最外層の外表面と面一か又は低くてなる請求項１記載の釣竿。
【請求項３】
前記模様層部分が別成形部材のシート部材であり、該模様層部分の外表面は前記最外層の外表面と面一か又は低くてなる請求項１記載の釣竿。
【発明の詳細な説明】
【技術分野】
【０００１】
本発明は、繊維強化樹脂製竿杆の表面に模様を施した釣竿に関する。
【背景技術】
【０００２】
釣竿竿杆の表面に図形や文字からなる模様を施す技術として、所定の模様印刷を施したシールを竿杆表面に貼着したり、スクリーン印刷の手法がある。下記特許文献にはシール（フィルム）を貼着した釣竿が開示されている。
【特許文献１】特開平５−１５３８８６号公報
【発明の開示】
【発明が解決しようとする課題】
【０００３】
然しながら、上記公報開示のように、シールを貼着する技術では、シール模様部が竿杆表面から突出してしまい、竿杆表面の滑らかさを阻害する。特に、把持部においては、その突出感が快適な把持感を阻害するため、模様を施し難い。また、貼着手法によっては、シール輪郭部から剥離し易いという問題もある。後者のスクリーン印刷でも、竿杆表面からの突出感がある他、複雑な模様を描くことは困難である。
依って解決しようとする課題は、竿杆表面からの突出感を防止すると共に、剥離し難い模様を施した竿杆を有する釣竿を提供することである。
【課題を解決するための手段】
【０００４】
第１の発明では、繊維強化樹脂製竿杆を形成する複数の繊維強化樹脂層の中の最外層のみ、又は該最外層とこれに続く１層以上の下方の層に亘って孔を設けており、該孔に該最外層とは異なる外観模様の模様層部分を埋め込んで、竿杆のマトリックス樹脂によって一体化されており、該模様層部分が外部から視認できることを特徴とする竿杆を有する釣竿を提供する。
第２の発明では、第１の発明の前記模様層部分が前記竿杆のマトリックス樹脂と同じ種類の樹脂を含浸した繊維強化樹脂プリプレグによって形成されており、該模様層部分の外表面は前記最外層の外表面と面一か又は低い。
第３の発明では、第１の発明の前記模様層部分が別成形部材のシート部材であり、該模様層部分の外表面は前記最外層の外表面と面一か又は低い。
【発明の効果】
【０００５】
第１の発明では、模様層部分が孔に埋め込まれているため、その分、模様層部分の突出量が低減され、突出感が防止される。また、模様層部分は埋め込まれているため、剥離し難い。
第２の発明では、竿杆と、埋め込まれた模様層部分とが同じ種類の樹脂を使用しているため、模様は竿杆の加熱成型時に一緒に成形できると共に、強固な一体化が可能となる。また、模様層部分の外表面が最外層の外表面から突出していないため、模様層部分の突出感が無くなる。
第３の発明では、別成形のシート部材の模様層部分の外表面が最外層の外表面から突出していないため、模様層部分の突出感が無くなる。
【発明を実施するための最良の形態】
【０００６】
以下、本発明を添付図面を用いて更に詳細に説明する。図１は本発明に係る釣竿に使用されている、エポキシ樹脂等のマトリックス樹脂を炭素繊維等の強化繊維で強化した繊維強化樹脂製の竿杆としての中空の元竿等の適宜な竿管１０の部分平面図であり、図２はその矢視線Ｂ−Ｂによる拡大横断面図、図３は図１の竿管の製法説明図である。台形状の本体層用プリプレグ１０Ｂ’を作業台の上に広げておき、プリプレグ１０Ｂ’のマンドレル３０への巻回始端を含む領域に、最内層用のプリプレグ１０Ａ’を重ねておく。このプリプレグ１０Ａ’は強化繊維である炭素繊維がマンドレルの円周方向になるように指向している。また、プリプレグ１０Ｂ’は強化繊維である炭素繊維が軸長方向になるように指向している。更には、このプリプレグ１０Ｂ’に比べて薄い補強層（裏打ち層）を設けていてもよい。また、これらのマトリックス樹脂は同じ種類であり、この例ではエポキシ樹脂である。
【０００７】
上記プリプレグ１０Ｂ’をマンドレルに巻回した場合に、最外層となるプリプレグ領域に、矩形状の孔１０Ｈを形成しており、この孔に、輪郭寸法が該孔と同じ寸法の装飾模様を施した他のプリプレグ２０’を嵌め込んでいる。このプリプレグ２０’は、本体層プリプレグ１０Ｂ’と同じ種類のマトリックス樹脂を使用しており、強化繊維束を互いに直交状に編んで模様を形成している。
【０００８】
上記状態のプリプレグの上にマンドレル３０を転動させてプリプレグを巻回し、その外側に緊締テープを巻回して常法に従って加熱焼成し、その後で緊締テープを除去すると共にマンドレルを引き抜くと、図１，図２の竿管１０が形成される。強化繊維が円周方向に指向した薄い最内層１０Ａの外側に、この例では３周巻回され、強化繊維が軸長方向に指向した厚い本体層１０Ｂが形成されている。この本体層を成す３層の内の最外層に、上記プリプレグ２０’に対応した模様層部分２０が形成されている。従って、外部からこの模様層部分が視認できる。また、この形態例では、模様層部分の外表面と最外層の外表面が面一であり、模様層部分が突出していないため、剥離が防止できる。更には、この模様層部分２０の上、或いは、この模様層部分を併せて本体層１０Ｂの上に、クリヤー塗装等の透明状の層を施すことは自由である。これにより、模様層部分の傷付きを防止できる他、剥離を完全に防止できる。勿論、模様層部分を全部覆わない限りは、透明状ではない各種層を設けてもよい。
【０００９】
上記形態例では、本体層１０Ｂに模様層部分２０を埋設したが、竿管１０の最外層が、上記最内層１０Ａと同様に強化繊維が円周方向に指向している層であっても、この最外層に設けた孔に、輪郭の対応する模様層部分を埋め込み、最外層と接着層部分はマトリックス樹脂で一体化できる。また、模様層部分２０は必ずしもプリプレグで形成されている必要は無く、任意の材料のもの、例えば、模様や文字を施した樹脂シール、樹脂フィルム、金属プレート等のシート部材でもよい。また、孔１０Ｈを特定の文字等の模様形状に形成してもよい。
【００１０】
図４は第２形態例の竿管を部分横断面図で示している。竿管１０を形成している繊維強化樹脂層が複数層Ｓ１，Ｓ２，Ｓ３，Ｓ４・・・あり、その最外層Ｓ１のみならず、その直下の層Ｓ２にまで亘って孔１０Ｈを設けており、この孔に２層に対応する厚さの模様層部分２０を埋め込み一体化している。この層Ｓ１，Ｓ２は、図２に示す本体層１０Ｂの３層の内の外側２層の場合もあり、また、層Ｓ１が本体層１０Ｂの最外層１層に対応し、層Ｓ２が本体層プリプレグの補強層プリプレグ（裏打ちプリプレグ）に対応する層の場合等もある。
【００１１】
層Ｓ１，Ｓ２が図２に示す本体層１０Ｂの３層の内の外側２層の場合、その製法は、図５に示すように、本体プリプレグ１０Ｂ’の対応する位置に、対応する同じ輪郭の孔１０Ｈ’，１０Ｈ”を設けておき、その内の一方に、本体層用プリプレグ１０Ｂ’の２倍の厚さの模様層部分用のプリプレグを埋め込んでおく。２つの孔１０Ｈ’，１０Ｈ”が重合して孔１０Ｈを形成する。
このように、２つ又は３つ以上の層に亘って模様層部分を設ければ、模様層部分の層厚を厚くでき、これにより深みのある模様を形成することが可能となる。また、凹凸の大きなシート部材を使用することもできる。
【００１２】
図８は図４の第２形態例の変形例とでもいうべき、第３形態例を示す。第２形態例と異なる事項を説明する。図５の製法で説明すると、孔１０Ｈ’の幅は孔１０Ｈ”の幅よりも小さく設定している。孔１０Ｈ”に、図８に示される横断面形状の模様層部分用プリプレグを埋め込み、本体プリプレグ１０Ｂ’を巻回して、狭い方の孔１０Ｈ’を模様層部分用のプリプレグの上部に押し込む。こうして定法に従って成形すると、模様層部分用のプリプレグの下部の上面段差部に最外層Ｓ１が覆い被さり、模様層部分２０がより安定して剥離し難くなる。
【００１３】
図９は、第４形態例を示す。第３形態例と異なる事項を説明する。異なるのは、使用する模様層部分用のプリプレグの厚さが、図５の本体プリプレグ１０Ｂ’と同じ厚さであり、薄いことである。こうして成形すると図９のように、模様層部分用のプリプレグの両側縁部近傍領域の上に最外層Ｓ１が覆い被さる形態の構造になり、模様層部分２０がより安定して剥離し難くなる。また、最外層Ｓ１の孔１０Ｈ（プリプレグにおける孔１０Ｈ’に対応した部分）の空間Ｓ１Ｋに透明状の樹脂を充填すると、更に効果的に剥離が防止できる他、透明状の層を介して模様層部分２０が視認できるため、深み感を呈する。
【００１４】
図６は第５形態例の竿管を部分横断面図で示している。第１形態例と異なるのは、模様層部分２０の外表面高さ位置が、竿管１０の繊維強化樹脂製最外層の外表面と同じではなく、低いことである。この場合、模様層部分２０は表面に傷が付き難い他、より剥がれ難い。通常、模様層部分の占有角度θは９０度以下であり、４５度以下が多い。従って、本体層１０Ｂの孔１０Ｈを設けている最外層は２７０度以上、或いは３１５度以上巻回されており、マトリックス樹脂による接合力のため、装飾層部分２０の表面よりも段差状に突出した状態の角部１０Ｃの存在に起因して本体層１０Ｂが剥がれることは防止される。
【００１５】
図６は模式説明図であったが、実際には図７を参照しつつ以下説明する通りである。図７（ａ）は竿管製造途中の部分図、図７（ｂ）は（ａ）よりも後工程の状態の部分図である。図３で説明した本体層プリプレグ１０Ｂ’を巻回した状態の孔１０Ｈの孔壁外端部でもある最外層の本体層プリプレグの角部１０Ｃ’は、加熱焼成途中での軟化と緊締テープ４０の緊締張力作用によって図７（ｂ）に示すように角部が傾斜して丸められる。更には、断面三角状の段差空間部にマトリックス樹脂１０Ｍが充填されて実質的に角部１０Ｃは存在しなくなる。こうした段差部や角部の解消作用は、緊締テープ４０の張力作用方向が円周方向であるため、図７で説明した如く、竿管の横断面における段差部や角部は解消され易いが、縦断面における段差部や角部は、横断面に於けるよりは解消され難い。
【００１６】
何れにしても、装飾層部分２０の外表面が最外層の外表面より低くても、そこに指等が引っ掛かることは防止される。また、ここで述べたことは、図４等で示すように孔１０Ｈが複数層に亘っていても同様である。
模様層部分が最外層よりも幾分突出していても本願第１発明の範囲内である。
【産業上の利用可能性】
【００１７】
本発明は、釣竿竿杆に利用できる。
【図面の簡単な説明】
【００１８】
【図１】図１は本発明に係る釣竿に使用されている竿管の部分平面図である。
【図２】図２は図１の矢視線Ｂ−Ｂによる拡大横断面図である。
【図３】図３は図１の竿管の製法説明図である。
【図４】図４は第２形態例竿管の部分横断面図である。
【図５】図５は第２形態例の竿管製法説明図である。
【図６】図６は第５形態例竿管の部分横断面図である。
【図７】図７は図６の竿管製造途中の部分断面図である。
【図８】図８は第３形態例竿管の部分横断面図である。
【図９】図９は第３形態例竿管の部分横断面図である。
【符号の説明】
【００１９】
１０                        竿管（竿杆）
１０Ｂ                      本体層
１０Ｈ                      孔
２０                        模様層部分
【図１】
2010081876.tif 000003
【図２】
2010081876.tif 000004
【図３】
2010081876.tif 000005
【図４】
2010081876.tif 000006
【図５】
2010081876.tif 000007
【図６】
2010081876.tif 000008
【図７】
2010081876.tif 000009
【図８】
2010081876.tif 000010
【図９】
2010081876.tif 000011